(57)【特許請求の範囲】
【請求項１】
無線通信サービスを提供する方法であって、
サービングセルｅｖｏｌｖｅｄ  Ｎｏｄｅ−Ｂ（ｅＮｏｄｅＢ）に隣接するターゲットセルｅＮｏｄｅＢに関連付けられたセル情報を受信するステップと、
無線送受信ユニット（ＷＴＲＵ）において、前記ＷＴＲＵがマルチメディアブロードキャストマルチキャストサービス（ＭＢＭＳ）単一周波数ネットワーク（ＭＢＳＦＮ）を介して現在受信しているおよび／または受信したいＭＢＭＳ周波数に与えられる優先権を含む、セル再選択基準を評価するステップと、
前記ＷＴＲＵにおいて、少なくとも部分的に前記ＷＴＲＵが現在受信しているおよび／または受信したいＭＢＭＳ周波数に与えられる前記優先権に基づいて再選択すべき隣接するターゲットセルｅＮｏｄｅＢを判定するステップと、
前記隣接するターゲットセルｅＮｏｄｅＢのマスタ情報ブロック（ＭＩＢ）メッセージおよびシステム情報メッセージを受信および読み取るステップと、
前記隣接するターゲットセルｅＮｏｄｅＢにランダムアクセスチャネル（ＲＡＣＨ）プリアンブルまたはＲＡＣＨメッセージを送信するステップと、
ＲＡＣＨ応答を前記隣接するターゲットセルｅＮｏｄｅＢから受信するステップと、
前記隣接するターゲットセルｅＮｏｄｅＢから、今まで前記サービングセルｅＮｏｄｅＢから受信されているＭＢＭＳを含むＭＢＭＳを受信するステップと
を備えることを特徴とする方法。
【請求項２】
前記隣接するターゲットセルに再選択するステップをさらに備えることを特徴とする請求項１に記載の方法。
【請求項３】
再選択すべき隣接するターゲットセルｅＮｏｄｅＢを判定するステップは、少なくとも部分的に前記ＷＴＲＵが現在受信しているおよび／または受信したいＭＢＭＳ周波数のうちの周波数に与えられる優先権に基づいて前記再選択すべき隣接するターゲットセルｅＮｏｄｅＢを判定することを含むことを特徴とする請求項１に記載の方法。
【請求項４】
受信機、プロセッサおよび送信機を含む無線送受信ユニット（ＷＴＲＵ）であって、
前記受信機は、サービングセルｅｖｏｌｖｅｄ  Ｎｏｄｅ−Ｂ（ｅＮｏｄｅＢ）に隣接するターゲットセルｅＮｏｄｅＢに関連付けられたセル情報を受信するように構成され、
前記プロセッサは、
前記ＷＴＲＵがマルチメディアブロードキャストマルチキャストサービス（ＭＢＭＳ）単一周波数ネットワーク（ＭＢＳＦＮ）を介して現在受信しているおよび／または受信したいＭＢＭＳ周波数に与えられる優先権を含む、セル再選択基準を評価し、
少なくとも部分的に前記ＷＴＲＵが現在受信しているおよび／または受信したいＭＢＭＳ周波数に与えられる前記優先権に基づいて再選択すべき隣接するターゲットセルｅＮｏｄｅＢを判定する
ように構成され、
前記受信機は、前記隣接するターゲットセルｅＮｏｄｅＢのマスタ情報ブロック（ＭＩＢ）メッセージおよびシステム情報メッセージを受信および読み取るように構成され、
前記送信機は、前記隣接するターゲットセルｅＮｏｄｅＢに、ランダムアクセスチャネル（ＲＡＣＨ）プリアンブルまたはＲＡＣＨメッセージを送信するように構成され、
前記受信機は、
ＲＡＣＨ応答を前記隣接するターゲットセルｅＮｏｄｅＢから受信し、
前記隣接するターゲットセルｅＮｏｄｅＢから、今まで前記サービングセルｅＮｏｄｅＢから受信されているＭＢＭＳを含むＭＢＭＳを受信する
ように構成される
ことを特徴とするＷＴＲＵ。
【請求項５】
前記プロセッサは、前記隣接するターゲットセルｅＮｏｄｅＢに再選択するように構成されることを特徴とする請求項４に記載のＷＴＲＵ。
【請求項６】
前記プロセッサは、少なくとも部分的に前記ＷＴＲＵが現在受信しているおよび／または受信したいＭＢＭＳ周波数のうちの周波数に与えられる優先権に基づいて前記再選択すべき隣接するターゲットセルｅＮｏｄｅＢを判定するように構成されることを特徴とする請求項４に記載のＷＴＲＵ。
【請求項７】
無線送受信ユニット（ＷＴＲＵ）のサービス連続性を提供する方法であって、
サービングセルｅｖｏｌｖｅｄ  Ｎｏｄｅ−Ｂ（ｅＮｏｄｅＢ）に、前記サービングセルｅＮｏｄｅＢに隣接するターゲットセルｅＮｏｄｅＢに関連付けられた測定レポートを送信するステップと、
前記サービングセルｅＮｏｄｅＢに、前記ＷＴＲＵがマルチメディアブロードキャストマルチキャストサービス（ＭＢＭＳ）単一周波数ネットワーク（ＭＢＳＦＮ）を介して現在受信しているおよび／または受信したいＭＢＭＳ周波数の表示を含む、無線リソースコントロール（ＲＲＣ）メッセージを送信するステップと、
前記サービングセルｅＮｏｄｅＢから、隣接するターゲットセルｅＮｏｄｅＢにハンドオーバするハンドオーバ命令を受信するステップであって、前記隣接するターゲットセルｅＮｏｄｅＢは、少なくとも部分的に前記ＷＴＲＵが現在受信しているおよび／または受信したいＭＢＭＳの前記表示に基づいて選択される、ステップと、
前記与えられたターゲットセルｅＮｏｄｅＢに、ランダムアクセスチャネル（ＲＡＣＨ）プリアンブルまたはＲＡＣＨメッセージを送信するステップと、
前記与えられたターゲットセルｅＮｏｄｅＢから、ＲＡＣＨ応答を受信するステップと、
前記与えられたターゲットセルｅＮｏｄｅＢから、今まで前記サービングセルｅＮｏｄｅＢから受信されているＭＢＭＳを含むＭＢＭＳを受信するステップと
を備えることを特徴とする方法。
【請求項８】
前記ハンドオーバ命令はＲＲＣ接続再構成メッセージとして受信されることを特徴とする請求項７に記載の方法。
【請求項９】
前記無線リソースコントロール（ＲＲＣ）メッセージは、前記ＷＴＲＵが受信したい前記ＭＢＭＳにおける変化に応答して送信されることを特徴とする請求項７に記載の方法。
【請求項１０】
前記ＷＴＲＵが受信したい前記ＭＢＭＳにおける前記変化は、前記ＷＴＲＵが現在受信している前記ＭＢＭＳ周波数をもはや受信したくない前記ＷＴＲＵへの変化を含むことを特徴とする請求項９に記載の方法。
【請求項１１】
前記無線リソースコントロール（ＲＲＣ）メッセージは、ＲＲＣ接続確立の一部として送信されることを特徴とする請求項７に記載の方法。
【請求項１２】
前記無線リソースコントロール（ＲＲＣ）メッセージは、ユニキャスト上でＭＢＭＳに与えられる優先権の表示を含むことを特徴とする請求項７に記載の方法。
【請求項１３】
サービス連続性に適応した無線送受信ユニット（ＷＴＲＵ）であって、前記ＷＴＲＵは送信機および受信機を含み、
前記送信機は、
サービングセルｅｖｏｌｖｅｄ  Ｎｏｄｅ−Ｂ（ｅＮｏｄｅＢ）に、前記サービングセルｅＮｏｄｅＢに隣接するターゲットセルｅＮｏｄｅＢに関連付けられた測定レポートを送信し、
前記サービングセルｅＮｏｄｅＢに、前記ＷＴＲＵがマルチメディアブロードキャストマルチキャストサービス（ＭＢＭＳ）単一周波数ネットワーク（ＭＢＳＦＮ）を介して現在受信しているおよび／または受信したいＭＢＭＳ周波数の表示を含む、無線リソースコントロール（ＲＲＣ）メッセージを送信する
ように構成され、
前記受信機は、前記サービングセルｅＮｏｄｅＢから、隣接するターゲットセルｅＮｏｄｅＢにハンドオーバするハンドオーバ命令を受信するように構成され、前記隣接するターゲットセルｅＮｏｄｅＢは、少なくとも部分的に前記ＷＴＲＵが現在受信しているおよび／または受信したいＭＢＭＳの前記表示に基づいて選択され、
前記送信機は、前記与えられたターゲットセルｅＮｏｄｅＢに、ランダムアクセスチャネル（ＲＡＣＨ）プリアンブルまたはＲＡＣＨメッセージを送信するように構成され、
前記受信機は、
前記与えられたターゲットセルｅＮｏｄｅＢから、ＲＡＣＨ応答を受信し、
前記与えられたターゲットセルｅＮｏｄｅＢから、今まで前記サービングセルｅＮｏｄｅＢから受信されているＭＢＭＳを含むＭＢＭＳを受信する
ように構成される
ことを特徴とするＷＴＲＵ。
【請求項１４】
前記受信機は、前記ハンドオーバ命令をＲＲＣ接続再構成メッセージとして受信するように構成されることを特徴とする請求項１３に記載のＷＴＲＵ。
【請求項１５】
前記無線リソースコントロール（ＲＲＣ）メッセージは、前記ＷＴＲＵが受信したい前記ＭＢＭＳにおける変化に応答して送信されることを特徴とする請求項１３に記載のＷＴＲＵ。
【請求項１６】
前記ＷＴＲＵが受信したい前記ＭＢＭＳにおける前記変化は、前記ＷＴＲＵが現在受信している前記ＭＢＭＳ周波数をもはや受信したくない前記ＷＴＲＵへの変化を含むことを特徴とする請求項１５に記載のＷＴＲＵ。
【請求項１７】
前記無線リソースコントロール（ＲＲＣ）メッセージは、ＲＲＣ接続確立の一部として送信されることを特徴とする請求項１３に記載のＷＴＲＵ。
【請求項１８】
前記無線リソースコントロール（ＲＲＣ）メッセージは、ユニキャスト上でＭＢＭＳに与えられる優先権の表示を含むことを特徴とする請求項１３に記載のＷＴＲＵ。
【発明の詳細な説明】
【技術分野】
【０００１】
本願は、無線通信に関する。
【背景技術】
【０００２】
無線送受信ユニット（ＷＴＲＵ）がマルチメディアブロードキャストマルチキャストサービス（ｍｕｌｔｉｍｅｄｉａ  ｂｒｏａｄｃａｓｔ  ｍｕｌｔｉｃａｓｔ  ｓｅｒｖｉｃｅ、ＭＢＭＳ）を受信しているときの主要な問題の１つは、サービス連続性（ｓｅｒｖｉｃｅ  ｃｏｎｔｉｎｕｉｔｙ）の維持ならびにハンドオーバ中およびセル再選択中の遅延の最小化である。さらに、ＷＴＲＵが、同一ＭＢＭＳサービスエリア内でマルチメディアブロードキャスト単一周波数ネットワーク（ｍｕｌｔｉｍｅｄｉａ  ｂｒｏａｄｃａｓｔ  ｓｉｎｇｌｅ  ｆｒｅｑｕｅｎｃｙ  ｎｅｔｗｏｒｋ、ＭＢＳＦＮ）サービスエリアから非ＭＢＳＦＮサービスエリアに移動するときには、サービス連続性が維持されなければならず、遅延が最小化されなければならない。
【０００３】
ＭＢＳＦＮサービスエリア内でＭＢＭＳ送信を受信するアイドルモードＷＴＲＵがＭＢＳＦＮサービスエリアの境界に近付くときに考慮する必要がある異なるステップが、提起されてきた。これらのステップは、１）ＷＴＲＵがＭＢＳＦＮサービスエリアの境界に接近しつつあることを検出することと、２）アクティブモードに移ることと、３）単一セルモードポイントツーポイント（ＰＴＰ）でのＭＢＭＳサービスの受信を要求することとを含む。ターゲットセルｅｖｏｌｖｅｄ  Ｎｏｄｅ−Ｂ（ｅＮｏｄｅＢ）は、要求されたサービスが使用可能であるか否かをもチェックしなければならず、そうでない場合には、４）ＭＢＭＳサービスのマルチキャストディストリビューションツリー（ｍｕｌｔｉｃａｓｔ  ｄｉｓｔｒｉｂｕｔｉｏｎ  ｔｒｅｅ）に参加し、５）最終的に、単一セルモードでのＷＴＲＵへのＭＢＭＳデータの供給を開始しなければならない。
【先行技術文献】
【特許文献】
【０００４】
【特許文献１】米国特許仮出願第６０／８９４５８８号明細書
【発明の概要】
【発明が解決しようとする課題】
【０００５】
少数のハイレベルシステムソリューションが提案されてきたが、遅延の最小化およびサービス連続性の維持を助けるより統合されたソリューションが必要である。したがって、非ＭＢＳＦＮエリアから別の非ＭＢＳＦＮサービスエリアまたはＭＢＳＦＮサービスエリアへの送信ならびにＭＢＳＦＮサービスエリアから非ＭＢＳＦＮサービスエリアへの再選択を機能強化することが望ましい。
【課題を解決するための手段】
【０００６】
無線通信サービス（たとえば、ＭＢＭＳ）を提供する方法および装置を開示する。ＷＴＲＵは、サービングセル（ｓｅｒｖｉｎｇ  ｃｅｌｌ）ｅＮｏｄｅＢに隣接する複数のターゲットセルｅＮｏｄｅＢを検出する。ＷＴＲＵは、セル再選択判断基準を評価し、再選択すべき隣接ターゲットセルｅＮｏｄｅＢを判定する。ＷＴＲＵは、隣接ターゲットセルｅＮｏｄｅＢのマスタ情報ブロック（ｍａｓｔｅｒ  ｉｎｆｏｒｍａｔｉｏｎ  ｂｌｏｃｋ、ＭＩＢ）メッセージおよびシステム情報メッセージを受信し、読み取り、判定された隣接ターゲットセルｅＮｏｄｅＢがＭＢＳＦＮの一部ではないことを確認する。ＷＴＲＵは、判定された隣接ターゲットセルｅＮｏｄｅＢをサービングセルｅＮｏｄｅＢに示す。次に、ＷＴＲＵは、隣接ターゲットセルｅＮｏｄｅＢのＭＩＢメッセージをもう一度受信し、読み取って、システム情報が変化したかどうかを判定し、そうである場合には、ＷＴＲＵは、システム情報を読み取り、隣接ターゲットセルｅＮｏｄｅＢに再選択する。次に、ＷＴＲＵは、ケイパビリティ情報およびサービス要件を伴うセル更新メッセージを隣接ターゲットセルｅＮｏｄｅＢに送信し、この隣接ターゲットセルｅＮｏｄｅＢは、ターゲットセルｅＮｏｄｅＢが無線通信サービスを提供し始める準備ができていることを示すセル更新確認メッセージをＷＴＲＵに送信する。
【０００７】
本発明のより詳細な理解は、例として与えられ、添付図面と共に理解されるべき次の説明から得ることができる。
【図面の簡単な説明】
【０００８】
【図１Ａ】ＷＴＲＵがサービングセルｅＮｏｄｅＢから隣接セル情報を受信する、ＭＢＳＦＮセルから非ＭＢＳＦＮセルへのセル再選択を示す信号流れ図である。
【図１Ｂ】ターゲットセルｅＮｏｄｅＢがＭＢＭＳサービスを開始する準備ができていることを示す、ブロードキャストまたは任意の他のメッセージを介する表示（指示）が、ＷＴＲＵに送信されることを除いて、図１Ａに類似する信号流れ図である。
【図２Ａ】ＷＴＲＵがサービングセルｅＮｏｄｅＢから隣接セル情報を受信しない、ＭＢＳＦＮセルから非ＭＢＳＦＮセルへのセル再選択を示す信号流れ図である。
【図２Ｂ】ターゲットセルｅＮｏｄｅＢがＭＢＭＳサービスを開始する準備ができていることを示す、ブロードキャストまたは任意の他のメッセージを介する表示（指示）が、ＷＴＲＵに送信されることを除いて、図２Ａに類似する信号流れ図である。
【図３Ａ】ＭＢＭＳセルの隣接リストがサービングセルによって送信される、非ＭＢＳＦＮセルから非ＭＢＳＦＮセルに移動するＷＴＲＵを示す例示的な信号流れ図である。
【図３Ｂ】ＭＢＭＳセルの隣接リストがサービングセルによって送信されない、非ＭＢＳＦＮセルから非ＭＢＳＦＮセルに移動するＷＴＲＵを示す例示的な信号流れ図である。
【図４】ＷＴＲＵを示すブロック図である。
【図５】ｅＮｏｄｅＢを示すブロック図である。
【発明を実施するための形態】
【０００９】
下で言及されるときに、用語「無線送受信ユニット（ＷＴＲＵ）」は、ユーザ機器（ＵＥ）、移動局、固定のまたはモバイルのサブスクライバユニット、ポケットベル、セル電話機、携帯情報端末（ＰＤＡ）、コンピュータ、または無線環境で動作できる任意の他のタイプのユーザデバイスを含むが、これらに限定はされない。下で言及されるときに、用語「基地局」は、Ｎｏｄｅ−Ｂ、サイトコントローラ、アクセスポイント（ＡＰ）、または無線環境で動作できる任意の他のタイプのインターフェースするデバイスを含むが、これらに限定はされない。
【００１０】
現在のｗｏｒｋ  ｇｒｏｕｐ（ＷＧ）ｒａｄｉｏ  ａｃｃｅｓｓ  ｎｅｔｗｏｒｋ  ２（ＲＡＮ２）には、隣接セルリストがセル再選択に必要になるかどうかに関する多くの論争がある。隣接セルリストはセル再選択について必須とは考えられないが、特定のイントラ周波数（ｉｎｔｒａ−ｆｒｅｑｕｅｎｃｙ）隣接セルを示して、その検出の性能を改善する必要があるかどうかは、まだ不確かである。特定のイントラ周波数隣接セルをシグナリングできるというこの原理は、ＭＢＭＳサービス連続性性能を改善するのに使用される。隣接リストがサービングセルによって送信されていないケースおよびシナリオもある。
【００１１】
本願は、それぞれ進行中のＭＢＭＳサービスを伴う、セル再選択のケースおよびハンドオーバのケースという２つのシナリオをカバーする。両方のシナリオについて、ＷＴＲＵは、再選択プロシージャが始まる前に、ＭＢＳＦＮエリア内のセルにキャンプしていると仮定する。
【００１２】
セル再選択
隣接セルアイデンティティ（ＩＤ）リスト情報が、サービングセルｅＮｏｄｅＢによって送信されるときに、隣接ＭＢＭＳセルのケイパビリティ情報は、サービングセルによって送信される場合と、リソースを節約するために送信されない場合とがある。
【００１３】
ＭＢＳＦＮエリアの境界では、隣接セルは、これらの隣接セルがＭＢＳＦＮエリア、ＭＢＳＦＮガードエリア、または非ＭＢＳＦＮエリアのどの一部であるかをシグナリングするインジケータ（１ビット以上）と一緒にシグナリングされなければならない。したがって、境界ｅＮｏｄｅＢは、この情報を伴って構成される必要がある。代替的に、ｅＮｏｄｅＢのそれぞれが、その隣接セルに関する情報をアクセスゲートウェイ（ＡＧＷ）から見つけることができ、このＡＧＷは、ＭＢＳＦＮエリアが構成されるときにその情報を含まなければならない。代替的に、ｅＮｏｄｅＢは、ＭＢＳＦＮエリアでのすべての更新または変更に対処するために、隣接セルケイパビリティ情報をＡＧＷに周期的に要求することもできる。
【００１４】
隣接セル情報をも知ることによって、サービングセルは、それが境界セルであることを把握し、そのブロードキャストメッセージを介して、それがＭＢＳＦＮエリアの境界／エッジセルであることを示す。したがって、ＭＢＳＦＮエリアのエッジのｅＮｏｄｅＢだけが、かかわり、ＷＴＲＵは、それが再選択できるセルが、ＭＢＳＦＮガードエリアの一部または非ＭＢＳＦＮエリアの一部である可能性があると期待し、潜在的にこの情報を使用して、その再選択プロシージャおよびハンドオーバプロシージャをより頑健にすることができる。
【００１５】
したがって、そのようなＭＢＳＦＮセルのエッジにあるＷＴＲＵは、隣接セルのリストおよびこれらのセルのそれぞれのケイパビリティ情報を有する。
【００１６】
そのようなシナリオでは、そのＷＴＲＵは、セル再選択プロシージャを実行するときに、まず、ＭＢＳＦＮエリアの一部であるエッジにあるセルに重みを与える。そのようなセルが見つからない場合には、ＭＢＳＦＮガードエリアの一部であるセルに優先順位を与える。最後に、完全に示されているかのように参照によって組み込まれている、２００７年３月１３日に出願した本願と同一の譲受人に譲渡された特許文献１で開示されているものなどのセル再選択プロシージャに基づいて、非ＭＢＳＦＮエリアからのセルを試し、再選択する。それ自体のサービス要件を知っているＷＴＲＵは、（存在する場合に）ＭＢＳＦＮエリアの一部でもＭＢＭＳサービスエリアの一部でもないセルに再選択しない。ネットワークが再選択プロシージャを制御することを望む場合に（たとえば、セル負荷または他の理由に起因して、ＷＴＲＵが任意の特定のセルに再選択しないことをネットワークが望まない場合がある）、ネットワークは、その（一特定の）セルについて非常に高いオフセットを示すか、隣接セルブラックリストを含むか、おそらくは、ある種の隣接物だけを伴うホワイトリストさえ含むことができる。
【００１７】
ハンドオーバ
第１のハンドオーバシナリオでは、通常のハンドオーバが発生し、ここで、ＷＴＲＵは、アクティブ状態であり、ターゲットセルｅＮｏｄｅＢへの通常のＷＴＲＵによって制御されるハンドオーバを実行する。ＷＴＲＵが、非ＭＢＳＦＮエリア内のセルへのハンドオーバを求める場合には、ＷＴＲＵケイパビリティおよび要件を、ハンドオーバ要求メッセージ内でサービングセルｅＮｏｄｅＢからターゲットセルｅＮｏｄｅＢに渡すことができ、ターゲットセルｅＮｏｄｅＢは、その後、マルチキャストディストリビューションツリーに参加し、ＰＴＰ  ＭＢＭＳサービスの準備をする時間を有するはずである。ターゲットセルｅＮｏｄｅＢがそのような位置にない場合には、ターゲットセルｅＮｏｄｅＢは、ハンドオーバ要求を拒絶することができ、ＷＴＲＵは、異なるターゲットセルｅＮｏｄｅＢにハンドオーバする機会を有する。
【００１８】
第２のハンドオーバシナリオでは、ネットワークによって指示されるハンドオーバが発生し、ここでは、ＷＴＲＵがアイドル状態であり、その後、ＷＴＲＵがキャンプしているサービングセルｅＮｏｄｅＢが境界ＭＢＳＦＮセルであることを検出した後にアクティブ状態に推移し、その測定値をネットワークに送信することができ、あるいは、ＷＴＲＵが、既にアクティブ状態であることができるのいずれかである。送信された測定値に基づいて、ネットワークは、要求されたサービスを提供する特定のターゲットセルｅＮｏｄｅＢにハンドオーバするようにＷＴＲＵに指示することができる。
【００１９】
前に述べたように、ＷＴＲＵは、当初にアイドル状態であるが、第１および第２のハンドオーバシナリオのうちの１つに従って（たとえば、ターゲットセルｅＮｏｄｅＢまたはＳＩＢ読取り）、またはサービングセルｅＮｏｄｅＢがＭＢＳＦＮエリアの境界にあることを示すブロードキャストされる明示的インジケータを介して、そのＷＴＲＵがＭＢＳＦＮエリアの境界セル内にあることを検出するときに、サービングセルｅＮｏｄｅＢとのラジオリソースコントロール（ｒａｄｉｏ  ｒｅｓｏｕｒｃｅ  ｃｏｎｔｒｏｌ、ＲＲＣ）接続を確立することによって、ターゲットセルｅＮｏｄｅＢに連絡し、アクティブ状態に推移することができる。ＲＲＣ接続確立メッセージを機能強化して、ＷＴＲＵが現在ＭＢＭＳトラフィックを受信していることを示すことができる。
【００２０】
ＷＴＲＵが、アクティブ状態に推移した後に、または既にアクティブ状態であるＷＴＲＵについて、ＷＴＲＵは、それが観察する信号品質を示す測定レポートをネットワークに送信することができる。サービングセルｅＮｏｄｅＢがＷＴＲＵの存在（または測定値）について知るようになった後に、サービングセルｅＮｏｄｅＢは、ＷＴＲＵからの測定値を監視し、ＷＴＲＵがＰＴＰ  ＭＢＭＳサービスを得ることのできる別のセルにＷＴＲＵを指令／リダイレクトすべきかどうかを判断する。
【００２１】
サービングセルｅＮｏｄｅＢが、ＷＴＲＵがＰＴＰ  ＭＢＭＳサービスを得ることのできる別のセル（すなわち、ターゲットセルｅＮｏｄｅＢ）にＷＴＲＵを指令／リダイレクトすると判断する場合に、サービングセルｅＮｏｄｅＢは、ＭＢＭＳ  ＰＴＰサービスの準備をするのに適切なパラメータをターゲットセルｅＮｏｄｅＢに送信することによって、ターゲットセルｅＮｏｄｅＢに連絡する。ターゲットｅＮｏｄｅＢは、ＷＴＲＵのためにＭＢＭＳ  ＰＴＰサービスを準備し、それを確認する信号をサービングセルｅＮｏｄｅＢに送り返す。次に、サービングセルｅＮｏｄｅＢは、ターゲットｅＮｏｄｅＢにアクセスするようにＷＴＲＵに指令／リダイレクトする。ＷＴＲＵは、アクセスするように指令されたターゲットｅＮｏｄｅＢにアクセスし、ＭＢＭＳ  ＰＴＰサービスを受信する。
【００２２】
さらに、セル再選択プロシージャまたはハンドオーバプロシージャを、すべてのセルでＭＢＭＳの包括的ブートストラッピングプロシージャを繰り返すのではなくすることによってさらに急がせることができる。これに関して、ＷＴＲＵは、サービングセルだけではなく最後の少数のキャンプしたセルについてもキーＫｓおよび他の関連するセキュリティ情報を格納する必要がある。これは、ＷＴＲＵについて実装オプションとして残すこともできる。
【００２３】
次に説明するのは、ＴＡ概念を使用してＭＢＭＳサービス連続性を容易にすることのできる方法である。これらの方法を、本文書で前に説明したＭＢＭＳサービス連続性を保証する方法と共にまたはこれらと独立にのいずれかで使用できることに留意されたい。
【００２４】
ＭＢＭＳサービス連続性を容易にするためのトラッキングエリア（Ｔｒａｃｋｉｎｇ  Ａｒｅａ）の設計および使用
【００２５】
トラッキングエリア（ＴＡ）は、ＭＢＳＦＮエリアのエッジにあるＭＢＳＦＮセル（すなわち、境界セル）が、ＭＢＳＦＮエリアの非境界セル（すなわち、内側セル）のトラッキングエリアとは異なるＴＡに属するように設計される。
【００２６】
同様に、ＴＡは、ＭＢＳＦＮガードエリア内にあるセルが、ＭＢＳＦＮエリアに属するセルのトラッキングエリアとは異なるＴＡに属するように設計される。ＭＢＳＦＮエリアの境界セル内にまたはガードＭＢＳＦＮエリア内のセル内に移動するときには、ＷＴＲＵは、ＴＡ更新メッセージをトリガする（設計により、別のＴＡ内に移動しようとしているので）。
【００２７】
ＴＡ更新メッセージは、ＷＴＲＵがＭＢＭＳサービスを受信しているかどうかの表示（指示）、それが受信しているＭＢＭＳサービスのタイプ（ＰＴＰまたはＭＢＳＦＮ）、および／またはＭＢＭＳサービスに関連する任意の他の構成パラメータもしくはコンテキスト情報を含むことができる。
【００２８】
上のＴＡＵ情報を送信することの代わりに、現在のＭＢＭＳサービスから変化した情報だけを含めることができ、その結果、ｅＮｏｄｅＢは、前もって知らされ、準備することができるようになる。そうでない場合には、変化を伴わない情報をもう一度ｅＮｏｄｅＢに繰り返す必要はない。これは、アップリンクシグナリングオーバーヘッドを節約することができる。
【００２９】
ＷＴＲＵがエッジセルの内側にあるときには、ＴＡＵメッセージの送信に対する１つの代替案は、ＷＴＲＵが現在エッジセルにあることなどのクリティカル情報だけを含めることであり、あるいは、モビリティまたは軌道の傾向とすることができる（サービングｅＮｏｄｅＢは、ＷＴＲＵがまだＭＢＳＦＮエリアから出て移動しつつあるのか、あるいはＭＢＳＦＮエリアの内側で徘徊している可能性があるのかを知ることができる）。この情報は、サービングセルｅＮｏｄｅＢが、ハンドオーバ準備をトリガする必要があるか否かを前もって知るのに十分である。したがって、アップリンクシグナリングオーバーヘッドを最小化することができる。
【００３０】
測定レポートを、ＴＡ更新と一緒に、またはＷＴＲＵがセル内に移動した後の任意の時に送信することができる。この測定レポートは、ハンドオーバが行われた後に送信され、将来のハンドオーバのためにエッジセルによって使用されるレポートになるはずである。ＴＡ更新を（ＷＴＲＵによって使用されているＭＢＭＳサービスのオプションの表示（指示）またはコンテキスト情報と共に）受信した後に、ｅＮｏｄｅＢは、ＳＦＮ  ＭＢＭＳサービスからＰＴＰ  ＭＢＭＳサービスへの切替を実行する。たとえば、ｅＮｏｄｅＢがＭＢＳＦＮガードエリア内にある場合には、ｅＮｏｄｅＢは、ＷＴＲＵをページングすることによって、まずＰＴＰ  ＭＢＭＳサービスを確立し、このＷＴＲＵは、ＲＲＣ接続を要求し、セットアッププロシージャが、そこから継続される。ｅＮｏｄｅＢがＭＢＳＦＮ境界エリア内にある場合には、ｅＮｏｄｅＢは、ＭＢＭＳリソースの準備を適切なターゲットセルｅＮｏｄｅＢに要求し（たとえば、ＷＴＲＵ測定レポートおよび他のアドミッション判断基準に基づいて）、その後、本文書の他のシナリオ／ケースについて前に説明したものに似て、ターゲットセルｅＮｏｄｅＢにＷＴＲＵを指令／リダイレクトする。
【００３１】
現在のＷＧ  ＲＡＮ２には、隣接リストがセル再選択に必要になる可能性があるかどうかに関する多くの論争がある。特定のイントラ周波数隣接セルを示して、その検出の性能を改善する必要があるかどうかは、研究中である。したがって、ＭＢＭＳサービス連続性性能を改善するために特定のイントラ周波数隣接セルをシグナリングできるというこの原理を利用することができる。サービングセルによって送信される隣接リストを伴わないケースおよびシナリオも考えられる。
【００３２】
本願は、ＭＢＳＦＮエリアおよび非ＭＢＳＦＮエリアへおよびこれらからのハンドオーバおよび再選択を対象とする。すべての場合に、ＷＴＲＵは、ブロードキャストメッセージまたはサービングセルもしくはターゲットセル内のある専用ＲＲＣシグナリングメッセージのいずれかを介して隣接セルケイパビリティに関するある情報を送信するのにネットワークに依存する。ハンドオーバの前に、ＷＴＲＵは、試行し、それが必要とするサービスに関して、サービングセルを介してまたはターゲット内でメッセージを直接に送信することによってのいずれかでターゲットセルに知らせ、ターゲットセルに、再選択またはハンドオーバプロシージャのために準備する機会を与える。
【００３３】
図１Ａは、ＷＴＲＵ  １０５、サービングセルｅＮｏｄｅＢ（ＭＢＳＦＮエリア）１１０、ターゲット（すなわち、隣接）セルｅＮｏｄｅＢ（非ＭＢＳＦＮエリア）１１５、およびＡＧＷ  １２０を含む無線通信システム１００でのセル再選択シナリオを示す信号流れ図である。ＷＴＲＵ  １０５は、ＭＢＳＦＮエリア内のサービングセルｅＮｏｄｅＢ  １１０から非ＭＢＳＦＮエリア内のターゲットセルｅＮｏｄｅＢ  １１５に移動する。
【００３４】
図１Ａのセル再選択シナリオでは、ＭＢＳＦＮエリア内のＭＢＭＳセルの隣接セル情報（たとえば、隣接セルリスト）およびケイパビリティ情報が、ＡＧＷ  １２０によってサービングセルｅＮｏｄｅＢ  １１０に送信される（ステップ１２５）。代替案では、サービングセルｅＮｏｄｅＢ  １１０を、周期的メッセージを介するなど、ＭＢＳＦＮエリア内のＭＢＭＳセルの隣接セル情報（たとえば、隣接セルリスト）およびケイパビリティ情報を伴って事前に構成することができる。次に、サービングセルｅＮｏｄｅＢ  １１０は、隣接セル情報をＷＴＲＵ  １０５に送信する（ステップ１３０）。ステップ１３５では、ＷＴＲＵ  １０５が、セル再選択判断基準を評価し、再選択すべき隣接ターゲットセルを判定する。再選択プロシージャを開始する前に、ＷＴＲＵ  １０５は、まず、それがキャンプしている現在のサービングセルｅＮｏｄｅＢ  １１０にランダムアクセスチャネル（ＲＡＣＨ）プリアンブルまたはＲＡＣＨメッセージを送信し（ステップ１４０）、それが再選択を計画している隣接セル（すなわち、ターゲットセルｅＮｏｄｅＢ  １１５）を示す。また、可能な場合には、専用シグネチャをこの目的のために予約して、セル再選択割込み時間を最小化することができる。ステップ１４５では、サービングセルｅＮｏｄｅＢ  １１０が、ＷＴＲＵ  １０５のＩＤ（たとえば、ｉｎｔｅｒｎａｔｉｏｎａｌ  ｍｏｂｉｌｅ  ｓｕｂｓｃｒｉｂｅｒ  ｉｄｅｎｔｉｔｙ（ＩＭＳＩ）、ｔｅｍｐｏｒａｒｙ  ｍｏｂｉｌｅ  ｓｕｂｓｃｒｉｂｅｒ  ｉｄｅｎｔｉｔｙ（ＴＭＳＩ））を含み、ＷＴＲＵ  １０５がＰＴＰ  ＭＢＭＳサービスを要求することを示す信号をターゲットセルｅＮｏｄｅＢ  １１５に送信する。
【００３５】
まだ図１Ａを参照すると、ステップ１５０では、ターゲットセルｅＮｏｄｅＢ  １１５は、ターゲットセルｅＮｏｄｅＢ  １１５が使用可能な要求されたＰＴＰ  ＭＢＭＳサービスを有するかどうかを判定する。そうでない場合には、ターゲットセルｅＮｏｄｅＢ  １１５は、要求されたサービスを提供するためにＡＧＷ  １２０がターゲットセルｅＮｏｄｅＢ  １１５をマルチキャストディストリビューションツリーに参加させることを要求する信号をＡＧＷ  １２０に送信し（ステップ１５５）、これによって、ＡＧＷ  １２０は、ＭＢＭＳ情報をターゲットセルｅＮｏｄｅＢ  １１５に供給し、ターゲットセルｅＮｏｄｅＢ  １１５は、そのＭＢＭＳ情報をＷＴＲＵ  １０５に供給する。ＡＧＷ  １２０がターゲットセルｅＮｏｄｅＢ  １１５をマルチキャストディストリビューションツリーに参加させ（ステップ１６０）た後に、ＡＧＷ  １２０は、明示的な肯定の肯定応答（ＡＣＫ）をターゲットセルｅＮｏｄｅＢ  １１５にシグナリングすることができ（ステップ１６５）、あるいは、これを、シグナリングがないことを介して暗黙のうちに仮定することができる。ターゲットセルｅＮｏｄｅＢ  １１５がマルチキャストディストリビューションツリーに参加させられない場合には、ＷＴＲＵ  １０５は、適切に知らされる。
【００３６】
代替案では、ＷＴＲＵ  １０５は、それがキャンプしようとしているターゲットセルｅＮｏｄｅＢ  １１５をサービングセルｅＮｏｄｅＢ  １１０に示すことと共に、隣接セルケイパビリティ情報をサービングセルｅＮｏｄｅＢ  １１０に送信することもできる。サービングセルｅＮｏｄｅＢ  １１０は、ターゲットセルｅＮｏｄｅＢ  １１５のサービスケイパビリティを知ることによって、ターゲットセルｅＮｏｄｅＢ  １１５がＰＴＰ  ＭＢＳサービスを提供できるかどうかを判定することができ、そうでない場合には、サービングセルｅＮｏｄｅＢ  １１０は、ＷＴＲＵ  ＩＤを、要求されたサービスと一緒にターゲットセルｅＮｏｄｅＢ  １１５に転送することができる。
【００３７】
代替案では、ＷＴＲＵ  １０５は、前に述べたようにそれが再選択を計画しているターゲットセルｅＮｏｄｅＢ  １１５を示すメッセージを、それがキャンプしている現在のサービングセルｅＮｏｄｅＢ  １１０に送信するのみとすることができる。サービングセルｅＮｏｄｅＢ  １１０は、ネットワークからターゲットセルｅＮｏｄｅＢ  １１５の情報を有し、したがってターゲットセルｅＮｏｄｅＢ  １１５のサービスケイパビリティを知ることができ、サービングセルｅＮｏｄｅＢ  １１０は、ターゲットセルｅＮｏｄｅＢ  １１５がサービスを提供できるかどうかを判定することができ、そうでない場合には、サービングセルｅＮｏｄｅＢ  １１０は、ＷＴＲＵ  ＩＤを、要求されたサービスと一緒にターゲットセルｅＮｏｄｅＢ  １１５に転送することができる。信号をサービングセルｅＮｏｄｅＢ  １１０に送信した後に、ＷＴＲＵ  １０５は、非ＭＢＳＦＮエリア内のセルへの再選択プロシージャを開始する。
【００３８】
ＭＢＭＳサービスエリア内の各セルは、ＭＩＢメッセージおよびシステム情報メッセージを周期的なレートで送信する。ＭＩＢメッセージおよびシステム情報メッセージは、そのセルがＭＢＳＦＮエリアの一部であるかどうかまたはそのセルがＰＴＰサービスをサポートするのみであるかどうかを示す情報を含む。したがって、ＷＴＲＵ  １０５は、ターゲットセルｅＮｏｄｅＢ  １１５によって送信されたＭＩＢメッセージおよびシステム情報メッセージを読み取り（ステップ１７０）、ＷＴＲＵ  １０５は、それが再選択を計画している新しいセルがＭＢＳＦＮエリアの一部ではないことを確認することができる（ステップ１７５）。代替案では、ＭＢＭＳ  ＰＴＰエリアまたはＭＢＳＦＮエリア内のセルだけが、そのセルがＭＢＳＦＮエリアの一部であるか否かに関する情報を送信することができる。ＷＴＲＵ  １０５が、ＭＩＢメッセージおよびシステム情報メッセージの読取り（ステップ１７０）を終了した後に、ＷＴＲＵ  １０５は、ターゲットセルｅＮｏｄｅＢ  １１５に再選択し（ステップ１８０）、そのＴＭＳＩまたは他のＩＤ、それ自体のケイパビリティ、およびＰＴＰ  ＭＢＭＳサービスに関するその要件を示すセル更新メッセージをターゲットセルｅＮｏｄｅＢ  １１５に送信する（ステップ１８５）。
【００３９】
ターゲットセルｅＮｏｄｅＢ  １１５は、ＷＴＲＵ  １０５の要件について事前に知らされているので、ＭＢＭＳ  ＰＴＰサービスをサポートでき、セル更新確認メッセージをＷＴＲＵ  １０５に送信することによってこのサポートを確認できなければならない。ターゲットセルｅＮｏｄｅＢ  １１５が、マルチキャストディストリビューションツリーに参加できない場合には、ターゲットセルｅＮｏｄｅＢ  １１５は、セル更新確認メッセージ内でこれをＷＴＲＵ  １１５に示すことができる（ステップ１９０）。したがって、ＷＴＲＵ  １０５は、以前の情報を使用してケイパビリティを有する別のセルを再選択し、あるいは、完全に別の新しい再選択プロシージャを開始する選択肢を有するが、後者は、追加の遅延を導入する可能性がある。代替案では、ターゲットセルｅＮｏｄｅＢ  １１５が、ＰＴＰ  ＭＢＭＳサービスを提供できる別のセルｅＮｏｄｅＢにＷＴＲＵ  １０５をリダイレクトできることが提案される。ターゲットセルｅＮｏｄｅＢ  １１５は、ＷＴＲＵ  １０５がリダイレクトされるｅＮｏｄｅＢを選択するために最新のＷＴＲＵ測定レポート情報（使用可能な場合に）を利用することができ、たとえば、ＷＴＲＵ  １１５は、セル更新メッセージを送信した時または任意の他の時に測定レポートを送信するはずである。
【００４０】
上の手順は、ＷＴＲＵ  １０５がＭＢＳＦＮガードエリア内のセルを再選択した場合と同一であるが、割込み時間はより短いはずである。というのは、ＭＢＳＦＮガードエリア内のセルは、既にＭＢＳＦＮネットワークと同期化されていなければならないので、マルチキャストディストリビューションツリーに参加することがより簡単であることに気付くはずであるからである。
【００４１】
図１Ｂは、ターゲットセルｅＮｏｄｅＢがＭＢＭＳサービスを開始する準備ができていることを示す、ブロードキャストまたは任意の他のメッセージを介する表示（指示）が、ＷＴＲＵに送信される（ステップ１９５）ことを除いて、図１Ａに類似する信号流れ図である。
【００４２】
図２Ａは、ＷＴＲＵ  ２０５、サービングセルｅＮｏｄｅＢ（ＭＢＳＦＮエリア）２１０、ターゲット（すなわち、隣接）セルｅＮｏｄｅＢ（非ＭＢＳＦＮエリア）２１５、およびＡＧＷ  ２２０を含む無線通信システム２００でのセル再選択シナリオを示す信号流れ図である。ＷＴＲＵ  ２０５は、ＭＢＳＦＮエリア内のサービングセルｅＮｏｄｅＢ  ２１０から非ＭＢＳＦＮエリア内のターゲットセルｅＮｏｄｅＢ  ２１５に移動するが、図２Ａのセル再選択シナリオとは異なって、ＭＢＭＳセルの隣接セル情報およびケイパビリティ情報は、サービングセルによってＷＴＲＵに送信されない。
【００４３】
隣接セル情報（たとえば、隣接セルアイデンティティ（ＩＤ）リスト）が送信されないときに、ＭＢＳＦＮエリア内のサービングセルｅＮｏｄｅＢ  ２１０は、隣接セル情報およびケイパビリティ情報を有する場合とそうでない場合とがある。まず、サービングセルｅＮｏｄｅＢ  ２１０が、隣接セルの情報を全く有しない（ステップ２２５）と仮定する。このシナリオでは、ＷＴＲＵ  ２０５は、それが再選択を計画しているセルがＭＢＳＦＮエリアの一部であるか否かを知らず、したがって、ＷＴＲＵ  ２０５は、潜在的に隣接するターゲットセルｅＮｏｄｅＢを検出し、セル再選択判断基準を評価し、再選択すべきターゲットセルｅＮｏｄｅＢ  ２１５を判定しなければならない（ステップ２３０）。その判定に基づいて、ＷＴＲＵ  ２０５は、ＭＩＢメッセージおよびシステム情報メッセージの読取り（ステップ２３５）に進まなければならない。
【００４４】
代替案では、隣接セル情報が提供されない場合であっても、サービングセルｅＮｏｄｅＢ  ２１０は、それでも、それがＭＢＳＦＮエリアの境界／エッジセルであるかどうかを、ブロードキャストメッセージを介して示すことができる。したがって、ＷＴＲＵ  ２０５は、それが再選択できるターゲットセルｅＮｏｄｅＢ  ２１５がＭＢＳＦＮガードエリアの一部または非ＭＢＳＦＮエリアの一部であり得ることを期待する。
【００４５】
それでも、ＭＢＭＳサービスエリア内のすべてのセルが、システム情報メッセージ内で、そのセルがＭＢＳＦＮエリア、ＭＢＳＦＮガードエリアの一部であるかどうか、またはそのセルがＰＴＰサービスをサポートするのみであるかどうかに関する情報を送信しなければならないことが提案される。したがって、ＷＴＲＵ  ２０５が、ターゲットセルｅＮｏｄｅＢ  ２１５によって送信されたシステム情報メッセージを読み取るときに、ＷＴＲＵ  ２０５は、それが再選択を計画している新しいセル（すなわち、ターゲットセルｅＮｏｄｅＢ  ２１５）がＭＢＳＦＮエリアの一部ではないことを確認する（ステップ２４０）。代替案では、ＭＢＭＳ  ＰＴＰエリア内またはＭＢＳＦＮエリア内のセルだけが、そのセルがＭＢＳＦＮエリアの一部であるか否かを示す情報を送信することができる。
【００４６】
ステップ２４５では、ＷＴＲＵ  ２０５は、まず、それがキャンプしている現在のサービングセルｅＮｏｄｅＢ  １１０にランダムアクセスチャネル（ＲＡＣＨ）プリアンブルまたはＲＡＣＨメッセージを送信し（ステップ２４５）、それが再選択を計画している隣接セル（すなわち、ターゲットセルｅＮｏｄｅＢ  １１５）を示す。また、可能な場合には、専用シグネチャをこの目的のために予約して、セル再選択割込み時間を最小化することができる。ステップ２５０では、サービングセルｅＮｏｄｅＢ  ２１０が、ＷＴＲＵ  ２０５のＩＤ（たとえば、ｉｎｔｅｒｎａｔｉｏｎａｌ  ｍｏｂｉｌｅ  ｓｕｂｓｃｒｉｂｅｒ  ｉｄｅｎｔｉｔｙ（ＩＭＳＩ）、ｔｅｍｐｏｒａｒｙ  ｍｏｂｉｌｅ  ｓｕｂｓｃｒｉｂｅｒ  ｉｄｅｎｔｉｔｙ（ＴＭＳＩ））を含み、ＷＴＲＵ  ２０５がＰＴＰ  ＭＢＭＳサービスを要求することを示す信号をターゲットセルｅＮｏｄｅＢ  ２１５に送信する。
【００４７】
まだ図２Ａを参照すると、ステップ２５５では、ターゲットセルｅＮｏｄｅＢ  ２１５は、ターゲットセルｅＮｏｄｅＢ  ２１５が要求されたＰＴＰ  ＭＢＭＳサービスを有するかどうかを判定する。そうでない場合には、ターゲットセルｅＮｏｄｅＢ  ２１５は、サービスを提供するためにＡＧＷ  ２２０がターゲットセルｅＮｏｄｅＢ  ２１５をマルチキャストディストリビューションツリーに参加させることを要求する信号をＡＧＷ  ２２０に送信する（ステップ２６０）。ＡＧＷ  ２２０がターゲットセルｅＮｏｄｅＢ  ２１５をマルチキャストディストリビューションツリーに参加させ（ステップ２６５）た後に、ＡＧＷ  ２２０は、明示的な肯定の肯定応答（ＡＣＫ）をターゲットセルｅＮｏｄｅＢ  ２１５にシグナリングすることができ（ステップ２７０）、あるいは、これを、シグナリングがないことを介して暗黙のうちに仮定することができる。ターゲットセルｅＮｏｄｅＢ  ２１５がマルチキャストディストリビューションツリーに参加させられない場合には、ＷＴＲＵ  ２０５は、適切に知らされる。
【００４８】
代替案では、ＷＴＲＵ  ２０５は、それがキャンプしようとしているターゲットセルｅＮｏｄｅＢ  ２１５をサービングセルｅＮｏｄｅＢ  ２１０に示すことと共に、隣接セルケイパビリティ情報をサービングセルｅＮｏｄｅＢ  ２１０に送信することもできる。サービングセルｅＮｏｄｅＢ  ２１０は、ターゲットセルｅＮｏｄｅＢ  ２１５のサービスケイパビリティを知ることによって、ターゲットセルｅＮｏｄｅＢ  ２１５がＰＴＰ  ＭＢＳサービスを提供できるかどうかを判定することができ、そうでない場合には、サービングセルｅＮｏｄｅＢ  ２１０は、ＷＴＲＵ  ＩＤを、要求されたサービスと一緒にターゲットセルｅＮｏｄｅＢ  ２１５に転送することができる。
【００４９】
代替案では、ＷＴＲＵ  ２０５は、前に述べたようにそれが再選択を計画しているターゲットセルｅＮｏｄｅＢ  ２１５を示すメッセージを、それがキャンプしている現在のサービングセルｅＮｏｄｅＢ  ２１０に送信するのみとすることができる。サービングセルｅＮｏｄｅＢ  ２１０は、ネットワークからターゲットセルｅＮｏｄｅＢ  ２１５の情報を有し、したがってターゲットセルｅＮｏｄｅＢ  ２１５のサービスケイパビリティを知ることができ、サービングセルｅＮｏｄｅＢ  １１０は、ターゲットセルｅＮｏｄｅＢ  ２１５がサービスを提供できるかどうかを判定することができ、そうでない場合には、サービングセルｅＮｏｄｅＢ  ２１０は、ＷＴＲＵ  ＩＤを、要求されたサービスと一緒にターゲットセルｅＮｏｄｅＢ  ２１５に転送することができる。信号をサービングセルｅＮｏｄｅＢ  ２１０に送信した後に、ＷＴＲＵ  ２０５は、非ＭＢＳＦＮエリア内のセルへの再選択プロシージャを開始する。
【００５０】
ステップ２７５では、ＷＴＲＵ  ２０５は、システム情報が最後の読取り以降に変化していないことを確認するために、ＭＩＢメッセージをもう一度読み取る（ステップ２７５）。これは、ターゲットセルｅＮｏｄｅＢ  ２１５から受信したシステム情報メッセージを読み取った後にサービングセルｅＮｏｄｅＢ  ２１０にメッセージを送信すること（ステップ２４５および２５０）によって、ＭＩＢメッセージおよびシステム情報メッセージの読取りとセル更新メッセージの送信との間にわずかな時間ギャップが導入されるので、必要になる場合がある。しかし、システム情報メッセージが、最後の読取り以降に変化していない可能性が非常に高いので、導入されるわずかな遅延は、問題はならない。したがって、ＷＴＲＵ  ２０５は、再選択において多くの遅延に直面しない。システム情報に対する変更がある場合には、ＷＴＲＵは、システム情報メッセージを読み取り、ターゲットセルｅＮｏｄｅＢに再選択する（ステップ２８０）。
【００５１】
ＷＴＲＵ  ２０５が、システム情報メッセージの読取りを終了した後に、ＷＴＲＵ  ２０５は、そのＴＭＳＩまたはある他のＩＤ、それ自体のケイパビリティ、およびＰＴＰ  ＭＢＭＳサービスに関するその要件を示すセル更新メッセージをターゲットセルｅＮｏｄｅＢ  ２１５に送信することができる（ステップ２８５）。
【００５２】
ターゲットセルｅＮｏｄｅＢ  ２１５は、ＷＴＲＵ  ２０５の要件について事前に知らされているので、ＭＢＭＳ  ＰＴＰサービスをサポートでき、セル更新確認メッセージをＷＴＲＵ  ２０５に送信することによってこのサポートを確認できなければならない（ステップ２９０）。ターゲットセルｅＮｏｄｅＢ  ２１５が、マルチキャストディストリビューションツリーに参加できない場合には、ターゲットセルｅＮｏｄｅＢ  ２１５は、サービングセルｅＮｏｄｅＢ  ２１０にパケットを要求することができ、サービングセルｅＮｏｄｅＢ  ２１０は、ＭＢＭＳパケットをターゲットセルｅＮｏｄｅＢ  ２１５に転送することができる。その後、ターゲットセルｅＮｏｄｅＢ  ２１５は、マルチキャストディストリビューションツリーに参加するまで、それらのパケットをＷＴＲＵ  ２０５に転送することができる。
【００５３】
代替案では、ターゲットセルｅＮｏｄｅＢ  ２１５がマルチキャストディストリビューションツリーに参加しなかった場合であっても、ターゲットセルｅＮｏｄｅＢ  ２１５は、そのツリーに参加し終えるまで待ち、ある時間期間以内にＭＢＭＳサービスが再開することをＷＴＲＵ  ２０５に知らせるセル更新確認メッセージに進み、その後、最終的にＭＢＭＳサービスを必要とするときに、サービスを再開する。ただし、このオプションは、遅延の量を増やす可能性がある。
【００５４】
代替案では、ターゲットセルｅＮｏｄｅＢ  ２１５が、ＰＴＰ  ＭＢＭＳサービスを提供できる別のセルｅＮｏｄｅＢにＷＴＲＵ  ２０５をリダイレクトできることが提案される。ターゲットセルｅＮｏｄｅＢ  ２１５は、ＷＴＲＵ  ２１５がリダイレクトされるセルｅＮｏｄｅＢを判断するために最新のＷＴＲＵ測定レポート情報（使用可能な場合に）を利用することができ、たとえば、ＷＴＲＵ  ２１５は、セル更新メッセージを送信した時または任意の他の時に測定レポートを送信するはずである。
【００５５】
第２の再選択シナリオの上のプロシージャは、ＷＴＲＵ  ２１５が、ＭＢＳＦＮガードエリア内のセルに再選択した場合と同一であるが、割込み時間は減る。というのは、ＭＢＳＦＮガードエリア内のセルは、既にＭＢＳＦＮネットワークと同期化されていなければならないので、マルチキャストディストリビューションツリーに参加することがより簡単であることに気付くはずであるからである。
【００５６】
上で述べた２つのシナリオのほかに、隣接セルのケイパビリティ情報を有するが、この情報を送信するのではなく、リソースを節約するために隣接ＩＤリストを送信するのみであるサービングセルｅＮｏｄｅＢ  ２１０などの「中間シナリオ」があり得る。このシナリオでは、隣接ＭＢＭＳセルのケイパビリティ情報がサービングセルｅＮｏｄｅＢ  ２１０によって送信されない場合には、ＷＴＲＵ  ２０５は、システム情報を読み取って、隣接セルが必要なサービスを提供するかどうかを理解しなければならない可能性があり、プロシージャは、前に第２のシナリオで述べたものに類似するものとすることができる。
【００５７】
しかし、全体的なプロシージャは、第２のシナリオよりも高速またはよりよく制御される可能性がある。というのは、この隣接ＩＤリストが、ＷＴＲＵ  ２０５がキャンプすることを許可されるセルだけを述べるホワイトリストとして働くことができ、これによって、サービングセルｅＮｏｄｅＢ  ２１０に、再選択プロシージャに対するより多くの制御を与え、サービングセルｅＮｏｄｅＢ  ２１０は、再選択プロシージャに対していくらかの制御を働かせることができるからである。たとえば、特許文献１で述べられたものなど、セル固有再選択パラメータを介していくつかの隣接セルまたはいくつかのセルへのリダイレクトを優先することができる。というのは、それが、隣接するセルのケイパビリティの知識を有するからである。
【００５８】
サービングセルｅＮｏｄｅＢ  ２１０は、隣接セルのケイパビリティ情報およびＩＤリストを有するが、リソースを節約するためにこの情報を送信しない。このシナリオでは、隣接ＭＢＭＳセルのケイパビリティ情報およびＩＤリストが、サービングセルｅＮｏｄｅＢ  ２１０によって知られているが送信されない場合に、ＷＴＲＵ  ２０５は、ターゲットセルｅＮｏｄｅＢ  ２１５を検出し、システム情報を読み取って、ターゲットセルｅＮｏｄｅＢ  ２１５が必要なサービスを提供するかどうかを理解しなければならない。その後、プロシージャは、前に第２のシナリオで述べたものに類似するものとすることができる。
【００５９】
しかし、全体的なプロシージャは、第２のシナリオよりも高速またはよりよく制御される可能性がある。というのは、隣接情報を知ることは、サービングセルが、それが後にブロードキャストメッセージを介して示すことのできるＭＢＳＦＮエリアの境界／エッジセルであることをサービングセルが理解するのを助けることができるからである。したがって、ＷＴＲＵ  ２０５は、それが再選択できるセルがＭＢＳＦＮガードエリアの一部または非ＭＢＳＦＮエリアの一部であることを期待し、潜在的に、この情報を使用して、その再選択プロシージャおよびハンドオーバプロシージャをより頑健にすることができる。
【００６０】
図２Ｂは、ターゲットセルｅＮｏｄｅＢがＭＢＭＳサービスを開始する準備ができていることを示す、ブロードキャストまたは任意の他のメッセージを介する表示（指示）が、ＷＴＲＵに送信される（ステップ２９５）ことを除いて、図２Ａに類似する信号流れ図である。
【００６１】
図３Ａに、ＷＴＲＵ  ３０５、サービングセルｅＮｏｄｅＢ（非ＭＢＳＦＮエリア）３１０、ターゲット（すなわち、隣接）セルｅＮｏｄｅＢ（非ＭＢＳＦＮエリア）３１５、およびＡＧＷ  ３２０を含む無線通信システム３００を示す。ＷＴＲＵ  ３０５は、ある非ＭＢＳＦＮエリアセルから別の非ＭＢＳＦＮエリアセルに移動し、隣接セル情報およびケイパビリティ情報は、非ＭＢＳＦＮサービングセルによって送信される。
【００６２】
図３Ｂは、ＭＢＭＳセルの隣接セル情報およびケイパビリティ情報がサービングセルによってＷＴＲＵに送信されないことを除いて、図３Ａに類似する信号流れ図である。
【００６３】
図４は、ＷＴＲＵ  １０５、２０５、および３０５によって実行される動作のいずれをも実行するように構成されたＷＴＲＵ  ４００のブロック図である。ＷＴＲＵ  ４００は、アンテナ４０５、受信器４１０、プロセッサ４１５、および送信器４２０を含む。
【００６４】
受信器４１０は、サービングセルｅＮｏｄｅＢに隣接するターゲットセルｅＮｏｄｅＢに関連するセル情報を受信するように構成される。プロセッサ４１５は、セル再選択判断基準を評価し、再選択すべき隣接するターゲットセルｅＮｏｄｅＢを判定するように構成される。送信器４２０は、隣接するターゲットセルｅＮｏｄｅＢを示すＲＡＣＨプリアンブルまたはＲＡＣＨメッセージを送信するように構成される。受信器４１０は、ＭＩＢメッセージおよびシステム情報メッセージを受信し、読み取るようにさらに構成される。プロセッサ４１５は、判定された隣接するターゲットセルｅＮｏｄｅＢがＭＢＳＦＮの一部ではないことを確認するようにさらに構成される。
【００６５】
送信器４２０は、ケイパビリティ情報およびサービス要件を含むセル更新メッセージを送信するようにさらに構成される。受信器４１０は、隣接するターゲットセルｅＮｏｄｅＢが無線通信サービス（たとえば、ＭＢＭＳ）を提供する準備ができていることを示すセル更新確認メッセージを受信するようにさらに構成される。プロセッサ４１５は、隣接するターゲットセルｅＮｏｄｅＢを再選択するようにさらに構成され、受信器４１０は、隣接するターゲットセルｅＮｏｄｅＢが無線通信サービス（たとえば、ＭＢＭＳ）を提供する準備ができていることを示す表示（指示）を受信するようにさらに構成される。
【００６６】
プロセッサ４１５は、受信されたシステム情報が変化したかどうかを判定するためにＭＩＢメッセージをもう一度読み取るようにさらに構成され、システム情報が変化したと判定される場合には、プロセッサ４１５は、システム情報を読み取り、隣接するターゲットセルｅＮｏｄｅＢに再選択する。
【００６７】
図５は、ｅＮｏｄｅＢ  １１０、１１５、２１０、２１５、３１０、および３１５によって実行される動作のいずれをも実行するように構成されたｅＮｏｄｅＢ  ５００のブロック図である。ｅＮｏｄｅＢ  ５００は、アンテナ５０５、受信器５１０、プロセッサ５１５、および送信器５２０を含む。ｅＮｏｄｅＢ  ５００は、サービングセルｅＮｏｄｅＢまたはターゲットセルｅＮｏｄｅＢとすることができる。
【００６８】
図５に示されたｅＮｏｄｅＢ  ５００がサービングセルｅＮｏｄｅＢである場合には、受信器５１０は、ＡＧＷからマルチメディアブロードキャスト単一周波数ネットワーク（ＭＢＳＦＮ）エリアのターゲットセルｅＮｏｄｅＢに関連するセル情報を受信するように構成される。送信器５２０は、受信されたセル情報を送信するように構成される。受信器５１０は、隣接するターゲットｅＮｏｄｅＢを示すＲＡＣＨプリアンブルまたはＲＡＣＨメッセージを受信するようにさらに構成される。送信器５２０は、無線送受信ユニット（ＷＴＲＵ）のアイデンティティおよび要求されるサービスの情報を含む信号を送信するようにさらに構成される。
【００６９】
図５に示されたｅＮｏｄｅＢ  ５００が、再選択される隣接するターゲットセルｅＮｏｄｅＢである場合には、受信器５１０は、ＷＴＲＵのアイデンティティおよび要求されるサービスの情報を含む信号を受信するように構成され、プロセッサ５１５は、ターゲットセルｅＮｏｄｅＢが要求されたサービスを有するかどうかを判定するように構成される。送信器５２０は、周期的なレートでＭＩＢメッセージおよびシステム情報メッセージを送信するように構成され、ターゲットセルｅＮｏｄｅＢが要求されたサービスを有しない場合には、送信器５２０は、要求されたサービスを提供するためにターゲットｅＮｏｄｅＢをマルチキャストディストリビューションツリーに参加させることを要求するメッセージを送信する。
【００７０】
受信器５１０を、ケイパビリティ情報およびサービス要件を含むセル更新メッセージを受信するようにさらに構成することができ、送信器５２０を、ターゲットセルｅＮｏｄｅＢが無線通信サービス（たとえば、ＭＢＭＳ）を提供する準備ができていることを示すセル更新確認メッセージを送信するようにさらに構成することができる。受信器５１０を、要求されたサービスを提供するためにターゲットセルｅＮｏｄｅＢをマルチキャストディストリビューションツリーに参加させることを要求するメッセージを肯定応答するメッセージを受信するようにさらに構成することができる。
【００７１】
実施形態
１．無線通信サービスを提供する方法であって、
サービングセルｅＮｏｄｅＢから、サービングセルｅｖｏｌｖｅｄ  Ｎｏｄｅ−Ｂ（ｅＮｏｄｅＢ）に隣接するターゲットセルｅＮｏｄｅＢに関連するセル情報を受信することと、
セル再選択判断基準を評価することと、
再選択すべき隣接するターゲットセルｅＮｏｄｅＢを判定することと、
サービングセルｅＮｏｄｅＢに、隣接するターゲットセルｅＮｏｄｅＢを示すランダムアクセスチャネル（ＲＡＣＨ）プリアンブルまたはＲＡＣＨメッセージを送信することと、
隣接するターゲットセルｅＮｏｄｅＢのマスタ情報ブロック（ＭＩＢ）メッセージおよびシステム情報メッセージを受信し、読み取ることと、
判定された隣接するターゲットセルｅＮｏｄｅＢがマルチメディアブロードキャスト単一周波数ネットワーク（ＭＢＳＦＮ）の一部ではないことを確認することと
を含むことを特徴とする方法。
２．隣接するターゲットセルｅＮｏｄｅＢに再選択することと、
隣接するターゲットセルｅＮｏｄｅＢに、ケイパビリティ情報およびサービス要件を含むセル更新メッセージを送信することと、
隣接するターゲットセルｅＮｏｄｅＢから、隣接するターゲットセルｅＮｏｄｅＢが無線通信サービスを提供する準備ができていることを示すセル更新確認メッセージを受信することと
をさらに含むことを特徴とする実施形態１に記載の方法。
３．無線通信サービスは、マルチメディアブロードキャストマルチキャストサービス（ＭＢＭＳ）であることを特徴とする実施形態２に記載の方法。
４．隣接するターゲットセルｅＮｏｄｅＢに再選択することと、
隣接するターゲットセルｅＮｏｄｅＢが無線通信サービスを提供する準備ができていることを示す、隣接するターゲットセルｅＮｏｄｅＢからの信号を受信することと
をさらに含むことを特徴とする実施形態１に記載の方法。
５．無線通信サービスは、マルチメディアブロードキャストマルチキャストサービス（ＭＢＭＳ）であることを特徴とする実施形態４に記載の方法。
６．無線送受信ユニット（ＷＴＲＵ）であって、
サービングセルｅＮｏｄｅＢから、サービングセルｅｖｏｌｖｅｄ  Ｎｏｄｅ−Ｂ（ｅＮｏｄｅＢ）に隣接するターゲットセルｅＮｏｄｅＢに関連するセル情報を受信するように構成された受信器と、
セル再選択判断基準を評価し、再選択すべき隣接するターゲットセルｅＮｏｄｅＢを判定するように構成されたプロセッサと、
サービングセルｅＮｏｄｅＢに、隣接するターゲットセルｅＮｏｄｅＢを示すランダムアクセスチャネル（ＲＡＣＨ）プリアンブルまたはＲＡＣＨメッセージを送信するように構成された送信器であって、受信器は、隣接するターゲットセルｅＮｏｄｅＢのマスタ情報ブロック（ＭＩＢ）メッセージおよびシステム情報メッセージを受信し、読み取るようにさらに構成され、プロセッサは、判定された隣接するターゲットセルｅＮｏｄｅＢがマルチメディアブロードキャスト単一周波数ネットワーク（ＭＢＳＦＮ）の一部ではないことを確認するようにさらに構成される、送信器と
を含むことを特徴とする無線送受信ユニット（ＷＴＲＵ）。
７．送信器は、隣接するターゲットセルｅＮｏｄｅＢに、ケイパビリティ情報およびサービス要件を含むセル更新メッセージを送信するようにさらに構成され、受信器は、隣接するターゲットセルｅＮｏｄｅＢから、隣接するターゲットセルｅＮｏｄｅＢが無線通信サービスを提供する準備ができていることを示すセル更新確認メッセージを受信するようにさらに構成されることを特徴とする実施形態６に記載のＷＴＲＵ。
８．無線通信サービスは、マルチメディアブロードキャストマルチキャストサービス（ＭＢＭＳ）であることを特徴とする実施形態７に記載のＷＴＲＵ。
９．プロセッサは、隣接するターゲットセルｅＮｏｄｅＢを再選択するようにさらに構成され、受信器は、隣接するターゲットセルｅＮｏｄｅＢが無線通信サービスを提供する準備ができていることを示す表示（指示）を受信するようにさらに構成されることを特徴とする実施形態６に記載のＷＴＲＵ。
１０．無線通信サービスは、マルチメディアブロードキャストマルチキャストサービス（ＭＢＭＳ）であることを特徴とする実施形態９に記載のＷＴＲＵ。
１１．無線通信サービスを提供する方法であって、
マルチメディアブロードキャスト単一周波数ネットワーク（ＭＢＳＦＮ）エリアの隣接セル情報およびケイパビリティ情報を受信することと、
無線送受信ユニット（ＷＴＲＵ）に、サービングセルｅｖｏｌｖｅｄ  Ｎｏｄｅ−Ｂ（ｅＮｏｄｅＢ）に隣接するターゲットセルｅＮｏｄｅＢに関連するセル情報を送信することと、
ＷＴＲＵから、隣接するターゲットｅＮｏｄｅＢを示すランダムアクセスチャネル（ＲＡＣＨ）プリアンブルまたはＲＡＣＨメッセージを受信することと、
隣接するターゲットセルｅＮｏｄｅＢに、ＷＴＲＵのアイデンティティおよび要求されるサービスの情報を含む信号を送信することと
を含むことを特徴とする方法。
１２．無線通信サービスを提供するサービングセルｅｖｏｌｖｅｄ  Ｎｏｄｅ−Ｂ（ｅＮｏｄｅＢ）であって、
マルチメディアブロードキャスト単一周波数ネットワーク（ＭＢＳＦＮ）エリアのターゲットセルｅｖｏｌｖｅｄ  Ｎｏｄｅ−Ｂ（ｅＮｏｄｅＢ）に関連するセル情報を受信するように構成された受信器と、
無線送受信ユニット（ＷＴＲＵ）に、受信されたセル情報を送信するように構成された送信器であって、受信器は、ＷＴＲＵから、隣接するターゲットｅＮｏｄｅＢを示すランダムアクセスチャネル（ＲＡＣＨ）プリアンブルまたはＲＡＣＨメッセージを受信するようにさらに構成され、送信器は、隣接するターゲットセルｅＮｏｄｅＢに、ＷＴＲＵのアイデンティティおよび要求されるサービスの情報を含む信号を送信するようにさらに構成される、送信器と
を含むことを特徴とするｅｖｏｌｖｅｄ  Ｎｏｄｅ−Ｂ（ｅＮｏｄｅＢ）。
１３．無線通信サービスを提供する方法であって、
サービングセルｅｖｏｌｖｅｄ  Ｎｏｄｅ−Ｂ（ｅＮｏｄｅＢ）に隣接する複数のターゲットセルｅＮｏｄｅＢを検出することと、
セル再選択判断基準を評価することと、
再選択すべき隣接するターゲットセルｅＮｏｄｅＢを判定することと、
隣接するターゲットセルｅＮｏｄｅＢのマスタ情報ブロック（ＭＩＢ）メッセージおよびシステム情報メッセージを受信し、読み取ることと、
サービングセルｅＮｏｄｅＢに、隣接するターゲットセルｅＮｏｄｅＢを示すランダムアクセスチャネル（ＲＡＣＨ）プリアンブルまたはＲＡＣＨメッセージを送信することと、
システム情報が変化したかどうかを検出するために、隣接するターゲットセルｅＮｏｄｅＢのＭＩＢメッセージをもう一度受信し、読み取ることと、
システム情報が変化したと判定される場合に、システム情報を読み取り、隣接するターゲットセルｅＮｏｄｅＢに再選択することと
を含むことを特徴とする方法。
１４．隣接するターゲットセルｅＮｏｄｅＢへの再選択が発生する場合に、隣接するターゲットセルｅＮｏｄｅＢに、ケイパビリティ情報およびサービス要件を含むセル更新メッセージを送信することと、
隣接するターゲットセルｅＮｏｄｅＢから、隣接するターゲットセルｅＮｏｄｅＢが無線通信サービスを提供する準備ができていることを示すセル更新確認メッセージを受信することと
をさらに含むことを特徴とする実施形態１３に記載の方法。
１５．無線通信サービスは、マルチメディアブロードキャストマルチキャストサービス（ＭＢＭＳ）であることを特徴とする実施形態１４に記載の方法。
１６．隣接するターゲットセルｅＮｏｄｅＢへの再選択が発生する場合に、隣接するターゲットセルｅＮｏｄｅＢが無線通信サービスを提供する準備ができていることを示す信号を、隣接するターゲットセルｅＮｏｄｅＢから受信すること
をさらに含むことを特徴とする実施形態１３に記載の方法。
１７．無線通信サービスは、マルチメディアブロードキャストマルチキャストサービス（ＭＢＭＳ）であることを特徴とする実施形態１６に記載の方法。
１８．判定された隣接するターゲットセルｅＮｏｄｅＢがマルチメディアブロードキャスト単一周波数ネットワーク（ＭＢＳＦＮ）の一部ではないことを確認すること
をさらに含むことを特徴とする実施形態１３〜１７のいずれか１つに記載の方法。
１９．サービングセルｅｖｏｌｖｅｄ  Ｎｏｄｅ−Ｂ（ｅＮｏｄｅＢ）に隣接する複数のターゲットセルｅＮｏｄｅＢを検出するように構成された受信器と、
セル再選択判断基準を評価し、再選択すべき隣接するターゲットセルｅＮｏｄｅＢを判定するように構成されたプロセッサと
を含む無線送受信ユニット（ＷＴＲＵ）であって、受信器は、隣接するターゲットセルｅＮｏｄｅＢのマスタ情報ブロック（ＭＩＢ）メッセージおよびシステム情報メッセージを受信し、読み取るようにさらに構成され、ＷＴＲＵは、
サービングセルｅＮｏｄｅＢに、隣接するターゲットセルｅＮｏｄｅＢを示すランダムアクセスチャネル（ＲＡＣＨ）プリアンブルまたはＲＡＣＨメッセージを送信するように構成された送信器
を含み、プロセッサは、システム情報が変化したかどうかを検出するために、隣接するターゲットセルｅＮｏｄｅＢのＭＩＢメッセージをもう一度読み取るようにさらに構成され、システム情報が変化したと判定される場合に、プロセッサは、システム情報を読み取り、隣接するターゲットセルｅＮｏｄｅＢに再選択する
ことを特徴とする無線送受信ユニット（ＷＴＲＵ）。
２０．隣接するターゲットセルｅＮｏｄｅＢへの再選択が発生する場合に、送信器は、隣接するターゲットセルｅＮｏｄｅＢに、ケイパビリティ情報およびサービス要件を含むセル更新メッセージを送信するようにさらに構成され、受信器は、隣接するターゲットセルｅＮｏｄｅＢから、隣接するターゲットセルｅＮｏｄｅＢが無線通信サービスを提供する準備ができていることを示すセル更新確認メッセージを受信するようにさらに構成されることを特徴とする実施形態１９に記載のＷＴＲＵ。
２１．無線通信サービスは、マルチメディアブロードキャストマルチキャストサービス（ＭＢＭＳ）であることを特徴とする実施形態２０に記載のＷＴＲＵ。
２２．プロセッサは、判定された隣接するターゲットセルｅＮｏｄｅＢがマルチメディアブロードキャスト単一周波数ネットワーク（ＭＢＳＦＮ）の一部ではないことを確認するようにさらに構成されることを特徴とする実施形態１９〜２１のいずれか１つに記載のＷＴＲＵ。
２３．無線通信サービスを提供するターゲットセルｅｖｏｌｖｅｄ  Ｎｏｄｅ−Ｂ（ｅＮｏｄｅＢ）であって、
サービングセルｅＮｏｄｅＢから、無線送受信ユニット（ＷＴＲＵ）のアイデンティティおよび要求されるサービスの情報を含む信号を受信するように構成された受信器と、
ターゲットセルｅＮｏｄｅＢが要求されるサービスを有するかどうかを判定するように構成されたプロセッサと、
マスタ情報ブロック（ＭＩＢ）メッセージおよびシステム情報メッセージを送信するように構成された送信器であって、ターゲットセルｅＮｏｄｅＢが要求されたサービスを有しない場合に、送信器は、ターゲットｅＮｏｄｅＢが要求されたサービスを提供するためにマルチキャストディストリビューションツリーに参加することを要求する第１メッセージを送信するようにさらに構成される、送信器と
を含むことを特徴とするターゲットセルｅｖｏｌｖｅｄ  Ｎｏｄｅ−Ｂ（ｅＮｏｄｅＢ）。
２４．受信器は、ＷＴＲＵから、ケイパビリティ情報およびサービス要件を含むセル更新メッセージを受信するようにさらに構成され、送信器は、ＷＴＲＵに、ターゲットセルｅＮｏｄｅＢが無線通信サービスを提供する準備ができていることを示すセル更新確認メッセージを送信するようにさらに構成されることを特徴とする実施形態２３に記載のターゲットセルｅＮｏｄｅＢ。
２５．無線通信サービスは、マルチメディアブロードキャストマルチキャストサービス（ＭＢＭＳ）であることを特徴とする実施形態２４に記載のターゲットセルｅＮｏｄｅＢ。
２６．受信器は、ターゲットセルｅＮｏｄｅＢが要求されたサービスを提供するためにマルチキャストディストリビューションツリーに参加することを要求する第１メッセージを肯定応答する第２メッセージを受信するようにさらに構成されることを特徴とする実施形態２４および２５のいずれか１つに記載のターゲットセルｅＮｏｄｅＢ。
【００７２】
特徴および要素を、上で特定の組合せで説明したが、各特徴または要素を、他の特徴および要素を伴わずに単独でまたは他の特徴および要素を伴うもしくは伴わないさまざまな組合せで使用することができる。本明細書で提供された方法または流れ図を、汎用コンピュータまたはプロセッサによる実行のためにコンピュータ可読記憶媒体に組み込まれるコンピュータプログラム、ソフトウェア、またはファームウェアで実施することができる。コンピュータ可読記憶媒体の例は、読取り専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびディジタル多用途ディスク（ＤＶＤ）などの光媒体を含む。
【００７３】
適切なプロセッサは、たとえば、汎用プロセッサ、特殊目的プロセッサ、従来のプロセッサ、ディジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、および／または状態機械を含む。
【００７４】
ソフトウェアに関連するプロセッサを使用して、無線送受信ユニット（ＷＴＲＵ）内で使用されるラジオ周波数トランシーバ、ユーザ機器（ＵＥ）、端末、基地局、無線ネットワークコントローラ（ＲＮＣ）、または任意のホストコンピュータを実施することができる。ＷＴＲＵは、カメラ、ビデオカメラモジュール、ビデオ電話、スピーカホン、振動デバイス、スピーカ、マイクロホン、テレビジョン受像機、ハンズフリーヘッドセット、キーボード、Ｂｌｕｅｔｏｏｔｈ（登録商標）モジュール、周波数変調（ＦＭ）ラジオユニット、液晶ディスプレイ（ＬＣＤ）ディスプレイユニット、有機発光ダイオード（ＯＬＥＤ）ディスプレイユニット、ディジタル音楽プレイヤ、メディアプレイヤ、ビデオゲームプレイヤモジュール、インターネットブラウザ、および／または任意の無線ローカルエリアネットワーク（ＷＬＡＮ）モジュールもしくはウルトラワイドバンド（ＵＷＢ）モジュールなど、ハードウェアおよび／またはソフトウェアで実施されるモジュールと共に使用することができる。
【図１Ａ】
0005491563.tif 000002
【図１Ｂ】
0005491563.tif 000003
【図２Ａ】
0005491563.tif 000004
【図２Ｂ】
0005491563.tif 000005
【図３Ａ】
0005491563.tif 000006
【図３Ｂ】
0005491563.tif 000007
【図４】
0005491563.tif 000008
【図５】
0005491563.tif 000009